【手続補正書】
【提出日】平成23年6月13日(2011.6.13)
【手続補正１】
【補正対象書類名】特許請求の範囲
【補正対象項目名】全文
【補正方法】変更
【補正の内容】
【特許請求の範囲】
【請求項１】
撮影指示を受け付ける受付手段と、
撮影モードとして、前記受付手段が一回押されることによって単一の画像データを生成する通常撮影モードと、前記受付手段が押下されている間複数の画像データを連続に生成する連写モードとを有する撮像装置であって、
撮影モードを設定する設定部と、
複数の画素を有し、読み出しモードとして、すべての画素の画像信号を出力する通常読出しモードと、所定の画素の画像信号とその周辺画素の画像信号とを混合して出力する混合読出しモードとを有する撮像素子と、
前記撮像素子の読み出しモードを制御する画素混合制御部とを備え、
前記連写モードは、通常連写モードと、単一の撮影指示に対して前記通常連写モードよりも単位時間当たりに生成可能な画像データの数が多い高速連写モードとを含み、
前記画素混合制御部は、
前記撮影モードが前記通常連写モードに設定されている場合、前記撮像素子を前記通常読出しモードで動作させ、
前記撮影モードが前記高速連写モードに設定されている場合、前記撮像素子を前記混合読出しモードで動作させる、
ことを特徴とする撮像装置。
【請求項２】
撮影指示を受け付ける受付手段と、
撮影モードとして、前記受付手段が一回押されることによって単一の画像データを生成する通常撮影モードと、前記受付手段が押下されている間複数の画像データを連続に生成する連写モードとを有する撮像装置であって、
撮影モードを設定する設定部と、
複数の画素を有し、読み出しモードとして、すべての画素の画像信号を出力する通常読出しモードと、所定の画素の画像信号とその周辺画素の画像信号とを混合して出力する混合読出しモードとを有する撮像素子と、
前記撮像素子の読み出しモードを制御する画素混合制御部とを備え、
前記画素混合制御部は、前記撮影モードが前記連写モードに設定されている場合、前記撮像素子を前記混合読出しモードで動作させる、
ことを特徴とする撮像装置。
【請求項３】
撮影指示を受け付ける受付手段と、
撮影モードとして、前記受付手段が一回押されることによって単一の画像データを生成する通常撮影モードと、前記受付手段が押下されている間複数の画像データを連続に生成する連写モードとを有する撮像装置であって、
撮影モードを設定する設定部と、
複数の画素を有し、読み出しモードとして、すべての画素の画像信号を出力する通常読出しモードと、所定の画素の画像信号とその周辺画素の画像信号とを混合して出力する混合読出しモードとを有する撮像素子と、
前記撮像素子の読み出しモードを制御する画素混合制御部とを備え、
前記画素混合制御部は、前記撮影モードが前記連写モードに設定されている場合、前記設定部による設定にしたがい、前記撮像素子の読み出しモードを、前記混合読出しモードまたは前記通常読み出しモードのいずれかに切り替え可能である、
ことを特徴とする撮像装置。
【請求項４】
前記撮像素子は、混合読出しモードにおいて混合する周辺画素の数が変更可能であって、前記設定部は前記混合読出しモードにおいて混合する周辺画素の数を設定可能である、ことを特徴とする請求項１から３のいずれかに記載の撮像装置。
【請求項５】
前記撮像素子は、混合読出しモードにおいて混合する周辺画素の数が変更可能であって、
前記操作部は、前記連写モードにおける連写速度を設定可能であり、
前記画素混合制御部は、前記連写速度に応じて、前記混合読出しモードにおいて混合する周辺画素の数を設定する、
ことを特徴とする請求項１から３のいずれかに記載の撮像装置。
【請求項６】
前記撮像素子は、混合読出しモードにおいて混合する周辺画素の数が変更可能であって、前記画素混合制御部は、被写体の明るさに応じて、前記混合する周辺画素の数を変更する、ことを特徴とする請求項１から３のいずれかに記載の撮像装置。
【請求項７】
前記画像データを記憶する記憶部をさらに有し、
前記撮像素子は、混合読出しモードにおいて混合する周辺画素の数が変更可能であって、前記画素混合制御部は、前記記憶部の空き容量に応じて、前記混合する周辺の画素の数を変更する、
ことを特徴とする請求項１から３のいずれかに記載の撮像装置。
【請求項８】
前記混合読出しモードにおいて混合する周辺画素の数は３または９である、ことを特徴とする請求項１から３のいずれかに記載の撮像装置。
【請求項９】
前記混合読出しモードにおいて混合する周辺画素の数を３または９に変更可能であることを特徴とする請求項４から７のいずれかに記載の撮像装置。
【手続補正２】
【補正対象書類名】明細書
【補正対象項目名】０００７
【補正方法】変更
【補正の内容】
【０００７】
本発明に係る第１の撮像装置は、撮影指示を受け付ける受付手段と、撮影モードとして、前記受付手段が一回押されることによって単一の画像データを生成する通常撮影モードと、前記受付手段が押下されている間複数の画像データを生成する連写モードとを有する撮像装置である。第１の撮像装置は、撮影モードを設定する設定部と、複数の画素を有し、読み出しモードとして、すべての画素の画像信号を出力する通常読出しモードと、所定の画素の画像信号とその周辺画素の画像信号とを混合して出力する混合読出しモードとを有する撮像素子と、撮像素子の読み出しモードを制御する画素混合制御部とを備える。連写モードは、通常連写モードと、単一の撮影指示に対して前記通常連写モードよりも単位時間当たりに生成可能な画像データの数が多い高速連写モードとを含む。画素混合制御部は、撮影モードが通常連写モードに設定されている場合、撮像素子を通常読出しモードで動作させ、撮影モードが高速連写モードに設定されている場合、撮像素子を混合読出しモードで動作させる。
【手続補正３】
【補正対象書類名】明細書
【補正対象項目名】０００８
【補正方法】変更
【補正の内容】
【０００８】
本発明に係る第２の撮像装置は、撮影指示を受け付ける受付手段と、撮影モードとして、前記受付手段が一回押されることによって単一の画像データを生成する通常撮影モードと、前記受付手段が押下されている間複数の画像データを生成する連写モードとを有する撮像装置である。第２の撮像装置は、撮影モードを設定する設定部と、複数の画素を有し、読み出しモードとして、すべての画素の画像信号を出力する通常読出しモードと、所定の画素の画像信号とその周辺画素の画像信号とを混合して出力する混合読出しモードとを有する撮像素子と、撮像素子の読み出しモードを制御する画素混合制御部とを備える。連写モードは、通常連写モードと、単一の撮影指示に対して前記通常連写モードよりも単位時間当たりに生成可能な画像データの数が多い高速連写モードとを含む。画素混合制御部は、撮影モードが連写モードに設定されている場合、撮像素子を混合読出しモードで動作させる。
【手続補正４】
【補正対象書類名】明細書
【補正対象項目名】０００９
【補正方法】変更
【補正の内容】
【０００９】
本発明に係る第３の撮像装置は、撮影指示を受け付ける受付手段と、撮影モードとして、前記受付手段が一回押されることによって単一の画像データを生成する通常撮影モードと、前記受付手段が押下されている間複数の画像データを生成する連写モードとを有する撮像装置である。第３の撮像装置は、撮影モードを設定する設定部と、複数の画素を有し、読み出しモードとして、すべての画素の画像信号を出力する通常読出しモードと、所定の画素の画像信号とその周辺画素の画像信号とを混合して出力する混合読出しモードとを有する撮像素子と、撮像素子の読み出しモードを制御する画素混合制御部とを備える。画素混合制御部は、撮影モードが前記連写モードに設定されている場合、設定部による設定にしたがい、撮像素子の読み出しモードを、混合読出しモードまたは通常読み出しモードのいずれかに切り替え可能である。